(57)【特許請求の範囲】
【請求項１】
複数の火災受信機と複数の表示操作装置とを有した複数の自動火災報知システムを通信ネットワークで接続して構成され、模擬火災発報試験ができるようにした広域自動火災報知システムにおいて、
前記表示操作装置は、試験対象とする火災受信機を選択した選択模擬火災発報指令を発生し、これに呼応した火災受信機からの指令元のデータを含んだ選択模擬火災発報信号のみを受信するようにして、この選択模擬火災発報信号が選択模擬試験開始信号か否かを判別し、選択模擬試験開始信号の場合には選択模擬火災発報試験ができるようにしたことを特徴とする広域自動火災報知システム。
【請求項２】
請求項１に記載の広域自動火災報知システムにおいて、
一または複数の表示操作装置からの選択模擬火災発報試験が行われている際には、他の表示操作装置からの選択模擬火災発報試験を禁止するようにしたことを特徴とする広域自動火災報知システム。
【請求項３】
請求項１または２のいずれかに記載の広域自動火災報知システムにおいて、
一または複数の表示操作装置からの選択模擬火災発報試験が行われている際にも、他の表示操作装置について通常の火災監視が行われるようにしたことを特徴とする広域自動火災報知システム。
【請求項４】
請求項１から３のいずれかに記載の広域自動火災報知システムにおいて、
一台の火災受信機に対して複数の表示操作装置が接続されている場合に、これらの複数の表示操作装置の内のいずれかの表示操作装置と前記火災受信機との間で選択模擬火災発報試験ができるようにしたことを特徴とする広域自動火災報知システム。
【請求項５】
請求項４に記載の広域自動火災報知システムにおいて、
前記一つの表示操作装置について選択模擬火災発報試験が行われている際には、他の表示操作装置についての選択模擬火災発報試験を禁止するようにしたことを特徴とする広域自動火災報知システム。
【請求項６】
請求項４または５のいずれかに記載の広域自動火災報知システムにおいて、
前記一つの表示操作装置について限定模擬火災発報試験が行われている際にも、前記の他の表示操作装置について通常の火災監視が行われるようにしたことを特徴とする広域自動火災報知システム。
【発明の詳細な説明】
【０００１】
【発明の属する技術分野】
本発明は、火災受信機と表示操作装置からなる複数の自動火災報知システムを通信ネットワークで接続して構成され、模擬火災発報試験ができるようにした広域自動火災報知システムに関する。
【０００２】
【従来の技術】
従来から、ビルやマンションなどに導入された自動火災報知システムでは、防災センタや管理人室などに設置された火災受信機に、パソコンなどで構成された表示操作装置を接続して、火災の早期発見や避難誘導などに役立てている。
【０００３】
図６は、このような従来の自動火災報知システム２４を示すシステム構成図であり、表示操作装置２１、火災検知器、防排煙装置などの防災端末器を接続した火災受信機２２、これらを通信ネットワーク（ＬＡＮ回線）２５を介して接続するための通信インターフェース２３から構成されている。
【０００４】
この表示操作装置２１には、シミュレーション機能、つまり、模擬火災発報試験機能が備わっており、模擬試験開始要求を火災受信機２２に送り、模擬的に火災受信機２２に接続された防災端末器（不図示）が作動したように火災受信機２２を動作させ、模擬試験開始応答、模擬火災発報を発信させて、火災受信機２２などの作動状況を模擬的に確認できるようになっている。
【０００５】
この模擬火災発報試験を予め行っておけば、管理者などは、実際の火災などの際の発報不良を防止することができ、また、防災端末器が作動した緊急時に、その対応に戸惑うことがなく、迅速に対処することができる。
【０００６】
図７は、この従来の自動火災報知システムをより広域に適用した広域自動火災報知システム４０を示すシステム構成図である。
【０００７】
このシステム４０は、図６の自動火災報知システム２４と同様の、表示操作装置３１、火災検知器、防排煙装置などの防災端末器を接続した火災受信機３２、通信インターフェース３３を備えた複数の自動火災報知システム３４を通信ネットワーク３５で相互に接続したものである。
【０００８】
それぞれの自動火災報知システム３４は、例えば、広域集合住宅を構成するＡ棟、Ｂ棟などの棟単位で設置され、それぞれの棟の防災監視を行うとともに、全体の防災監視を行うために、管理棟には、通信ネットワーク３５に通信インターフェース３３を介して接続された表示操作装置３１が設置されている。
【０００９】
こうして、この広域自動火災報知システム４０では、棟単位の防災監視ができると共に、管理棟に置かれた表示操作装置３１によって、このシステム全体の防災監視が可能であり、さらに、緊急時の対応力を高めるために、いずれの棟に設置された表示操作装置３１によっても、全体の防災監視ができるようになっていた。つまり、いずれかの棟の火災受信機３２の火災発報信号は、全ての棟や管理棟の表示操作装置３１に発信されるようになっていた。
【００１０】
【発明が解決しようとする課題】
このような広域自動火災報知システム４０では、模擬火災発報試験を行う際、図７に示すように、Ａ棟の表示操作装置３１だけから、同じ棟の火災受信機３２だけに模擬試験開始要求を出しても、それに応答した模擬試験開始応答や、模擬火災発報信号が全ての表示操作装置３１に発信され、全ての表示操作装置３１、火災受信機３２が模擬火災発報試験モードに入るため、全ての表示操作装置３１に管理者を待機させたり、模擬火災発報試験が行われる旨を徹底して、不意の試験発報で管理者などを惑わさないようにしたりする必要があり、管理が困難となっていた。
【００１１】
本発明は、上記の問題を解決するためになされたものであり、複数の自動火災報知システムを通信ネットワークで接続した広域自動火災報知システムでありながら、関係する表示操作装置、火災受信機を選択して、他の表示操作装置等に影響を与えないで模擬火災発報試験をすることができる広域自動火災報知システムを提供することを目的とする。
【００１２】
【課題を解決するための手段】
請求項１に記載の広域自動火災報知システムは、複数の火災受信機と複数の表示操作装置とを有した複数の自動火災報知システムを通信ネットワークで接続して構成され、模擬火災発報試験ができるようにした広域自動火災報知システムにおいて、前記表示操作装置は、試験対象とする火災受信機を選択した選択模擬火災発報指令を発生し、これに呼応した火災受信機からの指令元のデータを含んだ選択模擬火災発報信号のみを受信するようにして、この選択模擬火災発報信号が選択模擬試験開始信号か否かを判別し、選択模擬試験開始信号の場合には選択模擬火災発報試験ができるようにしたことを特徴とする。
【００１３】
このシステムは、表示操作装置から、試験対象とする火災受信機を選択した選択模擬火災発報指令を発生し、これを受けた火災受信機では、この選択データを含んだ選択模擬火災発報信号を全ての表示操作装置に向けて発信し、これを受けた表示操作装置では、この選択模擬火災発報信号が自己が指令したものであるかを判別して、自己の指令の場合にだけ、この選択模擬火災発報信号を受けるようにしたものである。
【００１４】
したがって、選択模擬火災発報指令を発生しなかった表示操作装置では、他の表示操作装置からの選択模擬火災発報指令による選択模擬火災発報信号の影響を受けることがない。
【００１５】
なお、このシステムは、それぞれの表示操作装置が、対象とする火災受信機を選択して選択模擬火災発報試験を同時に並行してできるものであり、また、対象とする火災受信機も例えば同じ棟内の火災受信機だけに限定されるものではない。更に、複数の表示操作装置から、一つの火災受信機あるいは複数の火災受信機を選択して、選択模擬火災発報試験を行う場合も含むものである。
【００１６】
請求項２に記載の広域自動火災報知システムは、請求項１に記載の広域自動火災報知システムにおいて、一または複数の表示操作装置からの選択模擬火災発報試験が行われている際には、他の表示操作装置からの選択模擬火災発報試験を禁止するようにしたことを特徴とする。
【００１７】
このシステムは、請求項１に比べ、選択模擬火災発報試験を選択した表示操作装置と火災受信機との間だけで行い、他の相互間の選択模擬火災発報試験を禁止する排他的な選択模擬火災発報試験ができることを明確にしたものである。このようにすると、同時並行に選択模擬火災発報試験はできないが、選択模擬火災発報試験を実現するためのシステムの制御が簡単になる。
【００１８】
請求項３に記載の広域自動火災報知システムは、請求項１または２のいずれかに記載の広域自動火災報知システムにおいて、一または複数の表示操作装置からの選択模擬火災発報試験が行われている際にも、他の表示操作装置について通常の火災監視が行われるようにしたことを特徴とする。
【００１９】
このシステムは、請求項１、２に比べ、選択模擬火災発報試験に関係のない表示操作装置、火災受信機については、通常の火災監視が行われることを明確にしたものである。したがって、模擬火災発報試験に関係のない地域では、通常の火災監視が継続され、模擬火災発報試験のための、火災監視中断のリスクをより少なくすることができる。
【００２０】
請求項４に記載の広域自動火災報知システムは、請求項１から３のいずれかに記載の広域自動火災報知システムにおいて、一台の火災受信機に対して複数の表示操作装置が接続されている場合に、これらの複数の表示操作装置の内のいずれかの表示操作装置と前記火災受信機との間で選択模擬火災発報試験ができるようにしたことを特徴とする。
【００２１】
このシステムは、一台の火災受信機に対して複数の表示操作装置が接続されている場合にも、同様の選択模擬火災発報試験ができることを明確にしたものである。したがって、よりきめ細かな選択模擬火災発報試験が可能となる。
【００２２】
請求項５に記載の広域自動火災報知システムは、請求項４に記載の広域自動火災報知システムにおいて、前記一つの表示操作装置について選択模擬火災発報試験が行われている際には、他の表示操作装置についての選択模擬火災発報試験を禁止するようにしたことを特徴とする。
【００２３】
このシステムは、請求項４に比べ、請求項１に対する請求項２と同様に、排他的な選択模擬火災発報試験ができるようにしたもので、請求項２と同様に効果を発揮する。
【００２４】
請求項６に記載の広域自動火災報知システムは、請求項４または５のいずれかに記載の広域自動火災報知システムにおいて、前記一つの表示操作装置について限定模擬火災発報試験が行われている際にも、前記の他の表示操作装置について通常の火災監視が行われるようにしたことを特徴とする。
【００２５】
このシステムは、請求項４、５に比べ、請求項１、２に対する請求項３と同様に、選択模擬火災発報試験に関係のない表示操作装置については、通常の火災監視が行われることを明確にしたものである。したがって、請求項３と同様の効果を発揮する。
【００２６】
【発明の実施の形態】
以下に、本発明の実施の形態について、図面を用いて説明する。
【００２７】
図１は、本発明の広域自動火災報知システムの一例を示すシステム構成図、図２は、図１の表示操作装置の要部構成の一例を示すブロック図、図３は、図１の表示操作装置における選択模擬火災発報指令の一例のデータ設定表を示す図である。
【００２８】
図１に示すように、この広域自動火災報知システム１０は、表示操作装置１、火災検知器、防排煙装置などの防災端末器を接続した火災受信機２、通信インターフェース３を備え、これらを通信線Ｌで接続した複数の自動火災報知システム４を通信ネットワーク５で相互に接続したものである。
【００２９】
それぞれの自動火災報知システム４は、例えば、広域集合住宅を構成するＡ棟、Ｂ棟などの棟単位で設置され、それぞれの棟の防災監視を行うとともに、全体の防災監視を行うために管理棟には、この通信ネットワーク５に、通信インターフェース３を介して接続された表示操作装置１が設置されている。
【００３０】
これらの表示操作装置１、火災受信機２、通信インターフェース３などの基本的機能は、図７の広域自動火災報知システム４０のものと同様である。
【００３１】
図２に示すように、この広域自動火災報知システム４０の中核をなす表示操作装置１は、ディスプレイ１ａと本体部１ｂ等からなるパソコンなどで構成されている。
【００３２】
本体部１ｂには、ＣＰＵなどで構成され、以下の各手段を制御する制御手段１１と、自火報受信機２との間における信号の伝送を制御する伝送手段１２と、ディスプレイ１ａに対する表示を制御する表示手段１３と、ＲＡＭ等で構成され、防災端末器の作動状況のデータ等を記憶する記憶手段１４と、キーボードやマウスなどで構成され、この装置１の動作を指示するために操作する操作手段１５と、防災端末器の作動状況などを、音声メッセージや警報音などでスピーカＳＰから出力する音声出力手段１６とを備えている。
【００３３】
この自火報システムには、模擬火災発報試験機能が備わっており、表示操作装置１において、操作手段１５を操作して、模擬試験モードとし、模擬的に防災端末器が作動したように自火報受信機２を動作させ、その模擬的な作動状況を確認できるようになっている。
【００３４】
表示操作装置１には、記憶手段１４に、防災端末器の実際の作動状況データを記憶する実状態管理テーブル１４ａと、模擬試験を行った際の作動状況データを記憶する模擬状態管理テーブル１４ｂを設けており、通常の監視モードにおいては実状態管理テーブル１４ａが使用され、模擬試験モードにおいては模擬状態管理テーブル１４ｂが使用される。
【００３５】
なお、模擬火災発報試験中でも、実際の防災端末器の作動信号を受信したときに、実状態管理テーブル１４ａを使用し、そのデータを書き換えるようにしてもよい。これによって、直ちに対処しなければならない緊急度の高い防災端末器が作動したときに、模擬試験モードを中止して、防災端末器の実際の作動状況を表示するようにしたり、模擬試験モードを終了したときに、模擬試験モード開始前と、模擬試験モード中も含めた防災端末器の実際の作動状況を表示することができる。
【００３６】
このような構成において、本発明の広域自動火災報知システム１０では、図３に示すような選択模擬火災発報指令を発生させて、選択模擬火災発報試験をすることができる。つまり、Ａ棟の表示操作装置１（＃１）は、Ａ棟の火災受信機１（＃１）を選択し、また、この火災受信機１（＃１）からの応答信号に対してのみ模擬試験を開始するように設定し、同様にＢ棟についても設定している。管理棟の表示操作装置１（＃３）については、この例では、いずれの応答信号に対しても模擬試験を開始しないようにしている。
【００３７】
この選択模擬火災発報指令に基づく選択模擬火災発報試験の手順を、図４のフローチャートにしたがって説明する。
【００３８】
表示操作装置１（＃１）からの選択模擬火災発報指令に呼応して、火災受信機１（＃１）は、指令元のデータを含んだ選択模擬火災発報信号を発信し、表示操作装置１はこれを受信する（Ｓ１）。この信号が、選択模擬火災発報指令、つまり、選択模擬試験開始信号か否かを判別し（Ｓ２）、否の場合は、通常動作を行う（Ｓ６）。
【００３９】
この信号が、選択模擬試験開始信号の場合には、それが該当する火災受信機から送信されたものかどうかを判別し（Ｓ３）、否の場合は、その信号を破棄し、選択模擬試験を開始しない。一方、該当する火災受信機からの送信の場合には、選択模擬試験を開始する（Ｓ５）。この状態を、図１では、点線の矢印で示している。
【００４０】
こうして、このシステム１０では、他の表示操作装置に影響を与えないで、選択した表示操作装置と火災受信機との間だけで模擬火災発報試験、つまり、選択模擬火災発報試験をすることができる。
【００４１】
この選択模擬火災発報試験の際に、模擬試験を選択した表示操作装置と火災受信機との間だけで行い、他の相互間の選択模擬火災発報試験を禁止する排他的な選択模擬火災発報試験をするようにしてもよい。このようにすると、同時並行に選択模擬火災発報試験はできないが、選択模擬火災発報試験を実現するためのシステムの制御が簡単になる。
【００４２】
また、上記の例では、選択模擬火災発報試験に関係のない表示操作装置、火災受信機については、通常の火災監視が行われるようにしている。したがって、模擬火災発報試験に関係のない地域では、通常の火災監視が継続され、模擬火災発報試験のための、火災監視中断のリスクをより少なくすることができる。
【００４３】
なお、このシステムは、それぞれの表示操作装置が、対象とする火災受信機を選択して選択模擬火災発報試験を同時に並行してできるものであり、また、対象とする火災受信機も、ここに例示した同じ棟内の火災受信機だけに限定されるものではない。更に、複数の表示操作装置から、一つの火災受信機あるいは複数の火災受信機を選択して、選択模擬火災発報試験を行う場合も含むものである。
【００４４】
図５は、本発明の広域自動火災報知システムの他例を示すシステム構成図である。
【００４５】
この広域自動火災報知システム１０は、システム全体が、複数の自動火災報知システムを通信ネットワークで接続して構成されている点では、図１と同様であるが、複数の自動火災報知システムに、１台の火災受信機２に対して複数の表示操作装置１（＃１１〜＃１ｎ）を通信インターフェース３（＃１１〜＃１ｎ）によって接続した自動火災報知システム４Ａが含まれている点で異なっている。
【００４６】
また、この自動火災報知システム４Ａでは、自火報受信機２は、中継器Ｅを介し、防災端末器として１または複数の火災感知器Ｓと終端器Ｅａを接続した感知器回線Ｌｓを接続しており、また、中継器Ｅを介し、１または複数の地区音響装置Ｂと終端器Ｅｂを接続した音響回線Ｌｂと、中継器Ｅを介して防火戸などの防排煙機器４とを接続している。
【００４７】
このように、１台の火災受信機２に対して複数の表示操作装置１（＃１１〜＃１ｎ）のそれぞれについても、上述したような選択模擬火災発報試験をすることが可能であり、その場合にも、上記と同様な効果を発揮する。
【００４８】
【発明の効果】
請求項１に記載の広域自動火災報知システムによれば、表示操作装置から、試験対象とする火災受信機を選択した選択模擬火災発報指令を発生し、これを受けた火災受信機では、この選択データを含んだ選択模擬火災発報信号を全ての表示操作装置に向けて発信し、これを受けた表示操作装置では、この選択模擬火災発報信号が自己が指令したものであるかを判別して、自己の指令の場合にだけ、この選択模擬火災発報信号を受けるようにしたので、選択模擬火災発報指令を発生しなかった表示操作装置では、他の表示操作装置からの選択模擬火災発報指令による選択模擬火災発報信号の影響を受けることがない。
【００４９】
請求項２に記載の広域自動火災報知システムによれば、請求項１の効果に加え、選択模擬火災発報試験を選択した表示操作装置と火災受信機との間だけで行い、他の相互間の選択模擬火災発報試験を禁止する排他的な選択模擬火災発報試験ができることを明確にしたので、選択模擬火災発報試験を実現するためのシステムの制御が簡単になる。
【００５０】
請求項３に記載の広域自動火災報知システムによれば、請求項１または２のいずれかの効果に加え、選択模擬火災発報試験に関係のない表示操作装置、火災受信機については、通常の火災監視が行われ、模擬火災発報試験のための、火災監視中断のリスクをより少なくすることができる。
【００５１】
請求項４に記載の広域自動火災報知システムによれば、請求項１から３のいずれかの効果に加え、一台の火災受信機に対して複数の表示操作装置が接続されている場合にも、同様の選択模擬火災発報試験ができることを明確にしたので、よりきめ細かな選択模擬火災発報試験が可能となる。
【００５２】
請求項５に記載の広域自動火災報知システムによれば、請求項４の効果に加え、請求項１に対する請求項２と同様に、排他的な選択模擬火災発報試験ができるようにしたので、請求項２と同様に効果を発揮する。
【００５３】
請求項６に記載の広域自動火災報知システムによれば、請求項４または５のいずれかの効果に加え、請求項１、２に対する請求項３と同様に、選択模擬火災発報試験に関係のない表示操作装置については、通常の火災監視が行われることを明確にしたの、請求項３と同様の効果を発揮する。
【図面の簡単な説明】
【図１】本発明の広域自動火災報知システムの一例を示すシステム構成図
【図２】図１の表示操作装置の要部構成の一例を示すブロック図
【図３】図１の表示操作装置における選択模擬火災発報指令の一例のデータ設定表を示す図
【図４】本発明の広域自動火災報知システムにおける選択模擬火災発報試験の一例の手順を示すフローチャート
【図５】本発明の広域自動火災報知システムの他例を示すシステム構成図
【図６】従来の自動火災報知システムを示すシステム構成図
【図７】従来の広域自動火災報知システムを示すシステム構成図
【符号の説明】
１          表示操作装置
２          火災受信機
３          通信インターフェース
４          自動火災報知システム
５          通信ネットワーク
１０          広域自動火災報知システム
【図１】
0003682577.tif 000002
【図２】
0003682577.tif 000003
【図３】
0003682577.tif 000004
【図４】
0003682577.tif 000005
【図５】
0003682577.tif 000006
【図６】
0003682577.tif 000007
【図７】
0003682577.tif 000008